(57)【要約】【課題】ＯＡローラの表面に開口した多数の穴に付着した塵埃を完全に除去することのできるＯＡローラの清掃方法およびそれに用いられるＯＡローラ用清掃装置を提供する。【解決手段】ＯＡローラ１をその軸線周りに回転させるとともに、回転ブラシ１１を、毛先がＯＡローラ１の表面に対して接線方向に移動するよう回転させ、回転ブラシ１１の毛でＯＡローラ１を叩くことにより表面の穴から塵芥を離脱させ、離脱した塵芥をバキュームで吸引してＯＡローラ１を清掃するである。【選択図】図４
2007218983.tif 000002
【特許請求の範囲】
【請求項１】
ＯＡローラの表面に開口する多数の穴に付着した塵埃を除去してＯＡローラを清掃する方法において、
ＯＡローラをその軸線周りに回転させるとともに、回転ブラシを、毛先がＯＡローラの表面に対して接線方向に移動するよう回転させ、回転ブラシの毛でＯＡローラを叩くことにより前記穴の表面から塵芥を離脱させ、離脱した塵芥をバキュームで吸引して前記ＯＡローラを清掃するＯＡローラの清掃方法。
【請求項２】
前記穴の大きさが、0.01〜5.0mmの範囲である請求項１に記載のＯＡローラを清掃する清掃方法。
【請求項３】
請求項１もしくは２に記載のＯＡローラを清掃する清掃方法に用いられる清掃装置であって、
前記回転ブラシと、前記穴の表面から離脱した塵芥を吸引するバキューム装置と、ＯＡローラを回転させるローラ回転装置とを具え、回転ブラシの回転軸は、ローラ回転装置の回転軸と平行に配置されてなるＯＡローラ用清掃装置。
【発明の詳細な説明】
【技術分野】
【０００１】
本発明は、ＯＡローラの表面に開口した多数の穴に付着した塵埃を除去してＯＡローラを清掃する方法に関し、特に、効果的に清掃することのできるものに関する。
【背景技術】
【０００２】
複写機やプリンタには、種々のＯＡローラが用いられていて、これらのローラは、シャフトの周囲に弾性層を配設して構成されているが、これらのローラのうち、例えば、現像剤をストックからくみ上げて現像ローラに供給する現像剤供給ローラのように、弾性層の内部に多数の気泡を分散させるとともに表面にも多数の穴を形成したローラがあり、現像剤供給ローラの場合、表面の穴を利用することにより、容易に、現像剤をくみ上げたり、搬送したりすることができる。
【０００３】
このように表面がポーラスになったローラは、これを製造する過程において、あるいは、製造したあと梱包されるまで保管しておく過程において、空中の塵埃が表面の穴に付着することがあり、このように表面に付着した塵埃は、現像剤の供給量をばらつかせ、ひいては、複写機やプリンタによって印刷された画像の品質を低下させるという問題があり、このため、従来から、製品を梱包する前に、ＯＡローラの清掃することが行われていた。
【発明の開示】
【発明が解決しようとする課題】
【０００４】
しかしながら、従来の清掃方法は、単にローラをエアブローして穴の中の塵埃を吹き飛ばしたり、掃除機等で塵埃をバキューム吸引したりするだけであり、穴に入りこんで付着した塵埃をきれいに除去することはできなかった。
【０００５】
本発明は、このような問題点に鑑みてなされたものであり、ＯＡローラの表面に開口した多数の穴に付着した塵埃を完全に除去することのできるＯＡローラの清掃方法およびそれに用いられるＯＡローラ用清掃装置を提供することを目的とする。
【課題を解決するための手段】
【０００６】
＜１＞は、ＯＡローラの表面に開口する多数の穴に付着した塵埃を除去してＯＡローラを清掃する方法において、
ＯＡローラをその軸線周りに回転させるとともに、回転ブラシを、毛先がＯＡローラの表面に対して接線方向に移動するよう回転させ、回転ブラシの毛でＯＡローラを叩くことにより前記穴の表面から塵芥を離脱させ、離脱した塵芥をバキュームで吸引して前記ＯＡローラを清掃するＯＡローラの清掃方法である。
【０００７】
＜２＞は、＜１＞において、前記穴の大きさが、0.01〜5.0mmの範囲であるＯＡローラを清掃する清掃方法である。
【０００８】
＜３＞は、＜１＞もしくは＜２＞の清掃方法に用いられる清掃装置であって、
前記回転ブラシと、前記穴の表面から離脱した塵芥を吸引するバキューム装置と、ＯＡローラを回転させるローラ回転装置とを具え、回転ブラシの回転軸は、ローラ回転装置の回転軸と平行に配置されてなるＯＡローラ用清掃装置である。
【発明の効果】
【０００９】
＜１＞によれば、塵芥をバキュームで吸引するのに先だって、ＯＡローラをその軸線周りに回転させるとともに、回転ブラシを、毛先がＯＡローラの表面に対して接線方向に移動するよう回転させ、回転ブラシの毛でＯＡローラを叩くので、穴の表面に付着した塵埃を容易に空中に飛び出させることができ、このことにより、穴の表面に付着した塵埃を完全に除去することができる。
【００１０】
＜２＞によれば、前記穴の開口部の大きさを、通常ＯＡローラの表面に形成される穴の大きさである0.01〜5.0mmとしたので、＜１＞の発明による清掃効果を、広い範囲のＯＡローラの種類に適用して、効果をさらに高めることとができる。
【００１１】
＜３＞によれば、前述の回転ブラシと、穴の表面から離脱した塵芥を吸引するバキューム装置と、ＯＡローラを回転させるローラ回転装置とを具え、回転ブラシの回転軸は、ローラ回転装置の回転軸と平行に配置したので、先に説明した理由により、塵埃を完全に弾性ローラから除去することができる。
【発明を実施するための最良の形態】
【００１２】
図１は、本発明に係る清掃方法およびそれに用いられる清掃装置の対象となるＯＡローラを示す正面図であり、図２は、図１の“ａ”部を拡大して示す断面図であり、ＯＡローラ１は、シャフト２の半径方向外側に弾性層３を配設してなり、弾性層３は、弾性層材料を、例えば、金型内で発泡させて形成され、多数の気泡４を内包するとともに、表面に接する気泡は穴５となって表面に開口している。なお、シャフト３の少なくとも一方の軸端にはシャフト３を駆動するためのＤカット２ａが形成されている。
【００１３】
ここで、ＯＡローラに形成される穴の大きさは、0.01〜5.0mmの範囲のものがほとんどであり、本発明はこれらのローラ１に対して適用すると効果が大きい。
【００１４】
図３は、ローラ清掃装置の正面図であり、図４は、その主要部である清掃ユニットを示す断面図であり、ローラ清掃装置２０は、ＯＡローラ１のシャフト３の両端を軸支するローラ支持台１５、ＯＡローラ１を回転駆動するローラ回転駆動モータ２６、ＯＡローラ１の弾性層３の周面を清掃する清掃ユニット１０、ＯＡローラ１を支持台１５に取り付け、支持台１５から取り外す際、清掃ユニット１０を待避させるための清掃ユニット昇降装置２１を具えて構成され、清掃ユニット１０は、ＯＡローラ１の軸線と平行な軸の周りに回転する回転ブラシ１１と、バキュームチャンバ１２とバキュームポンプ２４とを具えて構成される。図３、４において、１３はケーシング、２３は回転ブラシ１１を回転駆動するブラシ駆動モータ、２５はバキュームポンプ２４を駆動するポンプ駆動モータである。
【００１５】
この装置２０を用いてＯＡローラ１を清掃するには、ＯＡローラ１をローラ支持台１５にセットしたあと、清掃ユニット昇降装置２１で清掃ユニット１０を下降させ、回転ブラシの毛先がＯＡローラ１の弾性体３の周面に十分当接しするまで下降させる。次いで、ローラ回転駆動モータ２６を起動してＯＡローラ１を回転させるとともに、ブラシ駆動モータ２３を起動して回転ブラシ１１を回転させ、あわせて、ポンプ駆動モータ２５を起動してバキュームポンプ２４を駆動しバキュームを開始する。
【００１６】
以上のように、それぞれのモータ２３、２５、２６を起動することにより、回転ブラシ１１の毛１１ａを、弾性層３の周面に対して接線方向に移動するよう回転させることができ、回転ブラシ１１の毛１１ａが弾性層３を叩くことにより、前記穴５の表面に付着した塵埃を穴から離脱させ、離脱した塵芥をバキュームポンプ２４で吸引して作業所外等に排出することができ、回転ブラシ１１の毛が弾性層３を叩く工程を付加することにより、表面に塵埃が残り、現像剤の供給がバラツクという問題を解消することができる。
【００１７】
ここで、ＯＡローラ１の回転数は5〜100rpmに設定するのが好ましい。また、回転ブラシ１１の回転数は10〜100rpmとするのが好ましく、ブラシの毛１１ａの材質はポリプロピレン樹脂を含むものを用い、また、毛の長さは10〜55mm、毛の太さは0.01〜0.5mmとするのが好ましい。
【００１８】
なお、ローラ清掃装置として、図４に示した清掃ユニット１０に代えて、図５に断面図で示す清掃ユニット１０Ａを用いることもできる。清掃ユニット１０Ａは、ケーシング１３と、回転ブラシ１１と、ブロワーチャンバ１８と、バキュームチャンバ１９とを具えて構成され、空気を、図示しないブロワーからブロワーチャンバ１８を経由させてケーシング１３内に送り込むとともに、ケーシング１３内の塵埃を含む空気を、バキュームチャンバ１９を経由させてバキュームポンプで吸引することにより、回転ブラシ１１によって叩き出された弾性層３内の塵埃をケーシング１３内から排出することができる。
【実施例】
【００１９】
実際に、現像剤供給ローラを、上記清掃装置２０を用いて清掃する方法を実施例とし、従来のエアブローによる方法を従来例とし、これらの２種類の方法でそれぞれ２０本の現像剤供給ローラを清掃し、塵埃の残り具合を外観評価した。評価結果は、外観上特に問題ないレベルをレベルＡとし、それ以外をレベルＢとしたとき、実施例のものは、レベルＢは1％以下、従来例のものは、レベルＢが30％であった。
【産業上の利用可能性】
【００２０】
本発明は、表面に穴を有する種々のＯＡローラに用いることができる。
【図面の簡単な説明】
【００２１】
【図１】本発明に係る清掃方法およびそれに用いられる用清掃装置の対象となるＯＡローラを示す正面図である。
【図２】図１の“ａ”部を拡大して示す断面図である。
【図３】ローラ清掃装置の正面図である。
【図４】清掃ユニットを示す断面図である。
【図５】他の態様の清掃ユニットを示す断面図である。
【符号の説明】
【００２２】
１    ＯＡローラ
２    シャフト
３    弾性層
４    気泡
５    穴
１０、１０Ａ    清掃ユニット
１１    回転ブラシ
１１ａ    回転ブラシの毛
１２    バキュームチャンバ
１３    ケーシング
１５    ローラ支持台
１２    バキュームチャンバ
１８    ブロワーチャンバ
１９    バキュームチャンバ
２０    ローラ清掃装置
２１    清掃ユニット昇降装置
２３    ブラシ駆動モータ
２４    バキュームポンプ
２５    ポンプ駆動モータ
２６    ローラ回転駆動モータ
【図１】
2007218983.tif 000003
【図２】
2007218983.tif 000004
【図３】
2007218983.tif 000005
【図４】
2007218983.tif 000006
【図５】
2007218983.tif 000007